(57)【要約】  本発明の電子銃は、アノード電極（２３）よりも放出口（１３）側に、アード電極（２３）に対して正電圧を印加したリペラー電極（２４）を備え、前記リペラー電極（２４）が、電子ビームと残留ガスとの衝突によって生じ中心軸線（２８）に沿ってカソード電極（２１）方向に進む正イオンを、真空槽（１８）側に押し戻すことを特徴とする。  前記リペラー電極（２４）は円筒形形状であるので電子ビームの軌道を湾曲させるものではない。また、前記リペラー電極（２４）には細孔が多数形成されているため、リペラー電極（２４）内のガスは前記細孔を通過して真空排気される。  これにより、正イオンがカソード電極（２１）に入射することを防ぎ、長寿命の電子銃を提供することが可能になった。
2011034086.tif 000002
【特許請求の範囲】
【請求項１】
加熱されて熱電子を放出するカソード電極と、
前記カソード電極から放出された電子ビームを集束するウェーネルト電極と、
アノード孔を有し、前記カソード電極に対して正電圧が印加され、前記熱電子が電子ビームとして前記アノード孔を通過するアノード電極と、
前記アノード電極に対して正電圧が印加され、
前記アノード電極と前記電子ビームが放出される放出口の間に設けられ、前記電子ビームを中心軸線に沿って通過させるリペラー電極と、
前記リペラー電極を通過した前記電子ビームが放出される放出口とを有する電子銃。
【請求項２】
前記カソード電極と前記ウェーネルト電極と前記アノード電極と前記リペラー電極が配置された筺体を有し、
前記筺体には、前記筺体内の空間のうち、前記アノード電極と前記カソード電極との間の部分を真空排気する第一の真空排気口と、前記アノード電極と前記放出口の間の部分を真空排気する第二の真空排気口とが設けられた請求項１記載の電子銃。
【請求項３】
前記リペラー電極には細孔が形成され、
前記リペラー電極で囲まれた空間に位置するガスは、前記細孔を通過して前記第二の真空排気口から真空排気される請求項１又は請求項２のいずれか１項記載の電子銃。
【請求項４】
前記リペラー電極は網状の導電材料によって円筒形形状に成形された請求項３記載の電子銃。
【請求項５】
前記リペラー電極は、内周面が同一の筒形状の側面に位置するようにされた請求項３記載の電子銃。
【請求項６】
真空槽と、
請求項１乃至請求項５のいずれか１項記載の電子銃とを有し、
前記真空槽の内部と前記電子銃の内部が接続され、
前記真空槽内に前記放出口から放出された前記電子ビームが照射される照射対象物が配置された真空処理装置。
【発明の詳細な説明】
【技術分野】
【０００１】
本発明は電子銃に関するものである。
【背景技術】
【０００２】
電子銃は放出した電子を加速すると共にビーム状に収束させ、電子ビームを真空槽内に配置した対象物に照射する装置であり、例えば、対象物に電子ビームを照射して加熱し、真空雰囲気中で基板の成膜を行う成膜装置に用いられている。
このような電子ビームが電子銃の内部や真空槽の内部を進行する際に、残留ガスと衝突し、正に帯電したイオンを発生させる。
その正イオンは、電子ビームの空間電荷に引き寄せられ、電子ビームの中心軸線上に集まり、さらに電位の低いカソード電極に向かって中心軸線に沿って逆進する。
真空槽内や電子放出口付近で発生した正イオンは最終的にカソード電極に引き付けられて加速され、カソード電極に衝突してしまう。
この衝突によるイオン衝撃によってカソード電極は損傷を蒙り、電子放出面の後退、変形、甚だしい場合には中心部に穿孔が生じ、カソード電極の寿命を縮める主要な原因となっている。また、イオンの衝突によってカソード電極がスパッタされ、飛散したカソード電極材料は主にアノード電極に付着して、これがアノード電極の温度変化などにより剥がれるなどして異常放電の原因にもなっている。
【特許文献１】特公平０７−００７６４８号公報
【発明の開示】
【発明が解決しようとする課題】
【０００３】
本発明は上記従来技術の不都合を解決するために創作されたものであり、その目的は、真空槽内部や電子銃内部で電子と残留ガスとが衝突し、発生した正イオンがカソード電極に衝突することを防止し、長寿命の電子銃を提供することにある。
【課題を解決するための手段】
【０００４】
本発明は、加熱されて熱電子を放出するカソード電極と、前記カソード電極から放出された電子ビームを集束するウェーネルト電極と、アノード孔を有し、前記カソード電極に対して正電圧が印加され、前記熱電子が電子ビームとして前記アノード孔を通過するアノード電極と、前記アノード電極に対して正電圧が印加され、前記アノード電極と前記電子ビームが放出される放出口の間に設けられ、前記電子ビームを中心軸線に沿って通過させるリペラー電極と、前記リペラー電極を通過した前記電子ビームが放出される放出口とを有する電子銃である。
本発明は、前記カソード電極と前記ウェーネルト電極と前記アノード電極と前記リペラー電極が配置された筺体を有し、前記筺体には、前記筺体内の空間のうち、前記アノード電極と前記カソード電極との間の部分を真空排気する第一の真空排気口と、前記アノード電極と前記放出口の間の部分を真空排気する第二の真空排気口とが設けられた電子銃である。
本発明は、前記リペラー電極には細孔が形成され、前記リペラー電極で囲まれた空間に位置するガスは、前記細孔を通過して前記第二の真空排気口から真空排気される電子銃である。
本発明は、前記リペラー電極は網状の導電材料によって円筒形形状に成形された電子銃である。
本発明は、前記リペラー電極は、内周面が同一の筒形状の側面に位置するようにされた電子銃である。
本発明は、真空槽と、上記いずれかの電子銃とを有し、前記真空槽の内部と前記電子銃の内部が接続され、前記真空槽内に前記放出口から放出された前記電子ビームが照射される照射対象物が配置された真空処理装置である。【０００５】
本発明は上記のように構成されており、リペラー電極は、その中心軸線上を電子ビームが通過する軸対称の円筒形形状又はリング形形状であり、アノード電極よりも電子ビームの下流側に配置されている。
リペラー電極には、アノード電極に対して正電圧が印加され、放出口側からリペラー電極に向かって飛来する正イオンを放出口側に押し戻すように構成されている。
【発明の効果】
【０００６】
リペラー電極により電子ビームの中心軸線上を遡上してくる正イオンを真空槽側に追い返すことにより、カソード電極の損傷を防ぎ寿命を延ばすことができる。同時に、イオンボンバードによりスパッタされたカソード電極材料がアノード電極に付着することによる異常放電の発生を低減させる。
また、リペラー電極には細孔を形成し、細孔を介してリペラー電極で取り囲んだ空間を真空排気できるようにしたから、リペラー電極を設けても中間室の排気を妨げない。
【図面の簡単な説明】
【０００７】
【図１】本発明の電子銃を説明するための図
【図２】リペラー電極を無くしたときの電子銃内部の正イオンの挙動を説明するための図
【図３】本発明の一例の電子銃内部の正イオンの挙動を説明するための図
【図４】本発明の一例の電子銃の電子ビームの軌道外形を説明するための図
【図５】(ａ)：本発明の一例の真空処理装置を説明するための図  (ｂ)：導電性の網で形成したリペラー電極を説明するための図
【符号の説明】
【０００８】
２：真空処理装置
３：基板
４：蒸着材料
５：基板ホルダ
６：真空槽用真空ポンプ
１０：電子銃
１１：筺体
１２：底面
１３：放出口
１６、１７：真空ポンプ
１８：真空槽
２１：カソード電極
２２：ウェーネルト電極
２３：アノード電極
２４：リペラー電極
２５：ウェーネルト孔
２６：アノード孔
２８：中心軸線
３１：第一集束コイル
３２：第二集束コイル
３３：揺動コイル
３４：第一の真空排気口
３５：第二の真空排気口
【発明を実施するための最良の形態】
【０００９】
図５(ａ)は、本発明の一例の真空処理装置２であり、真空槽１８の内部に蒸着材料４が配置され、蒸着材料４の上方に基板ホルダ５が配置されている。
真空槽１８には、真空槽用真空ポンプ６が接続されており、この真空槽用真空ポンプ６によって真空槽１８内部を真空排気し、真空雰囲気を維持しながら真空槽１８内に基板３を搬入し、基板ホルダ５に保持させる。
真空槽１８の壁面や天井に、本発明の電子銃１０が取り付けられており、電子銃１０内を直接真空排気して、電子銃１０内を真空槽１８内よりも高真空雰囲気にしながら、電子銃１０から電子ビームを真空槽１８内に放出させ、蒸着材料４に照射すると、真空雰囲気中で蒸着材料４が蒸発し、その蒸気が基板３に到達して基板３表面に蒸着材料４の薄膜が形成される。【００１０】
図１に本発明による電子銃１０の内部の模式図を示す。
この電子銃１０は、筒状の筺体１１を有しており、筺体１１の一端部には放出口１３が形成されている。放出口１３とは反対側の底面１２の上には、カソード電極２１が配置されている。また、カソード電極２１と近接して離間した位置にウェーネルト電極２２が配置されている。
ウェーネルト電極２２は、中央に貫通孔であるウェーネルト孔２５を有するリング形状であり、カソード電極２１と同じ中心軸線２８を持ち、ウェーネルト孔２５の内面とカソード側面が隣合うように配置する。
カソード電極２１とウェーネルト電極２２よりも放出口１３側には、ウェーネルト電極２２側からアノード電極２３とリペラー電極２４とがこの順序で配置されている。
アノード電極２３は、中央に、貫通孔であるアノード孔２６を有するリング形状であり、リペラー電極２４は、一端をカソード電極２１側と他端を放出口１３側に向けた筒形状であり、リペラー電極２４の中心軸線２８は、カソード電極２１の中心を通っており、また、ウェーネルト電極２２の中心軸線とアノード電極２３の中心軸線と一致するようにされている。ここでは、リペラー電極２４は、リペラー電極２４内部の電界が軸対称になるように、円筒形状である。【００１１】
筺体１１は、筺体１１の内部が、放出口１３を介して、真空槽１８の内部と接続するように真空槽１８に取り付けられており、筺体１１は真空槽１８と共に接地電位に接続されている。
筺体１１及び真空槽１８の外部には電源装置３０が配置されており、各電極２１〜２４は電源装置３０に接続されている。
筺体１１には、第一、第二の真空排気口３４、３５が設けられており、第一、第二の真空排気口３４、３５は、真空ポンプ１６、１７に接続されている。ここでは、第一、第二の真空排気口３４、３５は、それぞれ別の真空ポンプ１６、１７に接続されている。【００１２】
真空処理装置２を使用する際には、真空槽用真空ポンプ６と、第一、第二の真空排気口３４、３５に接続された真空ポンプ１６、１７とを動作させ、真空槽１８の内部と筺体１１の内部とを真空排気しておく。
カソード電極２１の裏面には、加熱装置３８が配置されており、加熱装置３８を発熱させ、カソード電極２１を加熱しながら、電源装置３０によって、カソード電極２１には接地電位に対する負電圧を印加し、ウェーネルト電極２２にはカソード電極２１と同電圧を印加する。アノード電極２３にはカソード電極２１に対する正電圧を印加する。ここではアノード電極２３は接地電位に接続されている。【００１３】
カソード電極２１には、負の高電圧（例えば−４０ｋＶ）が印加されており、カソード電極２１から放出された熱電子は、ウェーネルト電極２２とアノード電極２３とによってビーム状に集束され、アノード電極２３によって加速され、ウェーネルト孔２５とアノード孔２６を通過し、リペラー電極２４の中心軸線２８に沿って進行し、リペラー電極２４内を通過する。
電源装置３０により、リペラー電極２４にはアノード電極２３に対する正電圧が印加されているが、ビームの中心軸はリペラー電極２４の中心軸線２８と一致しているのでビームの軸対称性が崩れることはない。
各電極２１〜２４の電位を比較すると、ウェーネルト電極＝カソード電極＜アノード電極＜リペラー電極 の順にされており、ここではアノード電極２３は接地電位に接続されている。【００１４】
符号３１、３２、３３は、それぞれ第一集束コイルと第二集束コイルと揺動コイルであり、第一集束コイル３１は、アノード電極２３の一部の外側に位置し、アノード電極２３の一部を取り囲んで配置されている。
第二集束コイル３２と揺動コイル３３は、第一集束コイル３１よりも電子ビームの下流側であって、第一集束コイル３１側からこの順序で、電子ビームの軌道を取り囲むように配置されている。リペラー電極２４は、第一集束コイル３１と第二集束コイル３２の間に位置している。
電子ビームは第一、第二集束コイル３１、３２によって集束されて放出口１３から放出され、真空槽１８内の対象物に照射される。【００１５】
図４の符号Ｌ1は、リペラー電極２４に、接地電位に対して３００Ｖの正電圧を印加したときの電子ビームの軌道外形を示す曲線であり、リペラー電極２４を設けないときと略同じ形状であることが確認されている。従って、正電圧を印加されるリペラー電極２４は、第一、第二の集束コイル３１、３２の電子ビーム集束作用に悪影響を及ぼすものではないことが分かる。
この図４及び後述する図２、３は、電子銃１０及びリペラー電極２４の中心軸線２８の排気口が位置する片側だけが示されている。
なお、揺動コイル３３を動作させると放出口１３から放出される電子ビームは進行方向が揺動され、対象物には、電子ビームの断面積よりも大きい範囲に照射することができる。【００１６】
上述した第一の真空排気口３４は、筺体１１内部の空間のうち、アノード電極２３とカソード電極２１との間の部分である電子銃室に接続され、電子銃室に位置するガスを真空排気するように構成されている。
また、第二の真空排気口３５は、筺体１１内部の空間のうち、アノード電極２３と放出口１３の間の部分であって、第二集束コイル３２よりもカソード電極２１に近い部分である中間室に接続され、中間室内に位置するガスを真空排気するように構成されている。【００１７】
ここでは、上述したように、電子ビームは、リペラー電極２４の中心軸線２８上を中心軸線２８が伸びる方向に沿って進行しており、第二の真空排気口３５はリペラー電極２４の外側に配置されている。
リペラー電極２４は、図５(ｂ)に示すように、金属製の網４１から構成されており、中間室に位置するガスは、網４１の目４２を通過して、第二の真空排気口３５から真空排気される。
なお、上述した実施例では、金属製の網としたが、複数本の金属製の細い棒で同じ円筒の側面に位置するように、電子ビームの進行方向と平行に等間隔に配置して、筒状形状のリペラー電極２４を構成してもよい。また、細孔が多数形成された導電性の板を円板状に成形してリペラー電極２４にしてもよい。また、金属製の中空円筒の一部をスリット加工や切り欠き加工、例えば、王冠形状に加工し、または、螺旋形状に加工したリペラー電極２４にしてもよい。
これらリペラー電極２４では、細孔、スリット、又は切り欠きをガスが通過でき、通過したガスが第二の真空排気口３５から真空排気される。
いずれのリペラー電極４の場合でも、スリット、切り欠き、細孔、又はその他のガス通過手段では、電子ビームの軌道に影響を及ぼさないように、リペラー電極２４を電子ビームの中心軸線と垂直に交わる平面で截断したときに、ガス通過手段は電子ビームの中心軸線を中心として回転対称となるように設けることが望ましい。【００１８】
リペラー電極２４の機能を説明すると、アノード電極２３に対する正電圧をリペラー電極２４に印加すると、リペラー電極２４の中心軸線２８の位置の電位が、リペラー電極２４が無い従来技術の電子銃に比べて、正電圧側に上昇されている。
電子銃１０の筺体１１の内部では、第一、第二の真空排気口３４、３５からの真空排気によって、電子銃室の圧力が中間室の圧力よりも低くなっており、中間室の圧力は、中間室よりも真空槽１８に近い部分の圧力よりも低くなっている。
真空槽１８の内部や、筺体１１内部の中間室よりも真空槽１８に近い部分は圧力の高い空間であり、多い残留気体に電子ビームが衝突し、残留気体が電離して正イオンが発生する。
発生した正イオンは、電位が低い電子ビームの中心軸線に集まり、更に負電位が大きいカソード電極２１側に向かって進行する。【００１９】
本発明の電子銃１０では、リペラー電極２４には、アノード電極２３に対して正電圧が印加され、リペラー電極２４の中心軸線２８の電位が、正電圧を印加されるリペラー電極２４が無いときよりも上昇されている。
特に、本発明では、カソード電極２１から放出された電子ビームがリペラー電極２４の中心軸線２８上を進行しているときでも、リペラー電極２４の中心軸線２８上の電位が、リペラー電極２４内部で最大になる電圧がリペラー電極２４に印加されている。【００２０】
従って、放出口１３とリペラー電極２４の間にはリペラー電極２４側の電位が、放出口１３側の電位よりも高い電界が形成され、真空槽１８内部やリペラー電極２４よりも放出口１３に近い空間内で発生した正イオンは、その電界によって押し戻され、リペラー電極２４が形成する電界を越えてカソード電極２１側に侵入しないようになっている。【００２１】
図３は、図１の構造の電子銃のカソード電極２１から電子ビームを照射したときに電子銃１０の内部に位置する正イオンの挙動をシミュレーションした結果であり、カソード電極２１に引き付けられ、カソード電極２１に入射した正イオンが位置していた範囲を、符号Ａを付した一点鎖線で囲んで示した。
また、電子ビームを照射してもカソード電極２１に到達しなかった正イオンが位置していた範囲を、符号Ｂを付した一点鎖線で囲んで示した。
電子銃室と中間室は、第一、第二の真空排気口３４、３５からそれぞれ直接真空排気されており、電子銃室は１×１０-4Ｐａ以下、中間室は１×１０-3Ｐａ以下の圧力にされており、実際には正イオンはほとんど発生せず、カソード電極２１に入射する正イオンは微少である。【００２２】
シミュレーションの条件は、リペラー電極２４の電位は＋３００Ｖ、ウェーネルト電極２２の電位は−４０ｋＶ、カソード電極２１の電位は−４０ｋＶ、アノード電極２３は０Ｖ（接地電位）、電子ビーム電流は６Ａである。イオン初速としては１０００Ｋのランダムな熱速度を与えた。
その条件では、リペラー電極２４よりも放出口１３側に位置していた正イオンは、カソード電極２１側に移動せず、真空槽１８内や、真空槽１８に近い空間で多量に発生した正イオンは、カソード電極２１には入射しないことが分かった。【００２３】
図２は、図１の構造の電子銃１０からリペラー電極２４をはずした電子銃のシミュレーション結果であり、正電圧を印加されるリペラー電極２４が無い他は、図１の電子銃１０と同じ構造の電子銃のシミュレーション結果である。
リペラー電極２４が位置する部分よりも放出口１３に近い位置の正イオン(符号Ａの範囲)がカソード電極２１に入射しており、この位置の残留ガスの圧力は高いために、大量に発生した正イオンが入射するから、カソード電極２１が早く損傷することが分かった。
なお、上記実施例では、本発明の真空処理装置が蒸着装置の場合を説明したが、蒸着装置に限定されるものではなく、他の真空処理装置も含まれる。
また、上記実施例では、リペラー電極２４は内周も外周も円筒状であったが、内周面が円筒状であれば、外周面が円筒でなくてもよい。
リペラー電極の断面形状は、上記実施例のように、電子ビームの軌道に影響を及ぼさない円形が望ましいが、装置構成上の制約や製造コストの都合により、ルーローの三角形やペリトロコイド曲線（繭型）といった多角形と円弧を組み合わせた形状でも良い。
また、内周面が円筒形状の側面と密着できる螺旋形状のリペラー電極も含まれるし、互いに電気的に接続された複数の円形リングを、互いに平行に、中心が同一の中心軸線上に位置するようにしてリペラー電極を構成してもよい。
また、互いに電気的に接続された棒状の電極を、一つの円の円周上に、互いに平行に、円柱とは直角に、設けてリペラー電極を構成してもよい。
要するに、上記実施例のリペラー電極２４は、内周面が同一の筒形状の側面に位置するようにされたリペラー電極の一例である。
また、円筒に限らず、内周面が一方の開口が他方の開口よりも広がった円錐台形状のリペラー電極であってもよい。 
【図１】
2011034086.tif 000003
【図２】
2011034086.tif 000004
【図３】
2011034086.tif 000005
【図４】
2011034086.tif 000006
【図５】
2011034086.tif 000007
【国際調査報告】
2011034086.tif 000008
2011034086.tif 000009
2011034086.tif 000010
2011034086.tif 000011